(57)【要約】      （修正有）【課題】シリコンチューブの外部が極めて良好な光均一効果を備え、最良の発光警告機能又は装飾効果を達成するライトガイドチューブ構造を提供する。【解決手段】ライトガイドチューブ構造は、シリコンチューブ２及び二つのＬＥＤライト条３から構成され、シリコンチューブは光均一性を備えるシリコン材質から製造され、シリコンチューブの底面は平面に成形し、最上面は円弧面を成形する。シリコンチューブ内には納置槽２３を設置し、シリコンチューブ内には別に少なくとも一通孔２４を設置する。各ＬＥＤライト条は複数個のＬＥＤライト３０を配列して設置し、ＬＥＤライト条には電源コード３１を設置し、各ＬＥＤライト条は相対して設置し、シリコンチューブの納置槽内に挿入して定位する。このようにしてライトガイドチューブを各種物品上に固定し、各ＬＥＤライト条はシリコンチューブ内に相対して設置し、各ＬＥＤライトの発光によってシリコンチューブを経て導光される。【選択図】図２
0003190216.tif 000002
【実用新案登録請求の範囲】
【請求項１】
主にシリコンチューブ及び少なくとも１つのＬＥＤライト条から構成されたライトガイドチューブ構造において、
該シリコンチューブは光均一性のシリコン材質から製造され、該シリコンチューブの底面は平面を成形し、該シリコンチューブの最上面は円弧面を成形し、該シリコンチューブ内には納置槽を設置し、該シリコンチューブ内には別に少なくとも一通孔を設置し、また該シリコンチューブ内には少なくとも１つのＬＥＤライト条上は複数個のＬＥＤライト排列設置し、該シリコンチューブ内には少なくとも１つのＬＥＤライト条上には電源コードを設置し、該シリコンチューブ内には少なくとも１つのＬＥＤライト条は相対して設置し該シリコンチューブの納置槽内に挿入して定位することを特徴とするライトガイドチューブ構造。
【請求項２】
前記シリコンチューブの最上面は少なくとも一凹槽を設置することを特徴とする請求項１記載のライトガイドチューブ構造。
【考案の詳細な説明】
【技術分野】
【０００１】
本考案は、ライトガイドチューブ構造に関するもので、導光性が良く、極めて良好な光均一効果を備えるライトガイドチューブ構造である。
【背景技術】
【０００２】
一般に用いられる警告もしくは装飾用のライトガイドチューブ１は、図１に示すとおり、およそガラスもしくは透光性を備えた硬質材料等の実心柱体を加工して必要な形状に折り曲げ、ライトガイドチューブ１の両端に発光体１０を設置する。
該発光体１０は電球もしくはＬＥＤライトであるが、ライトガイドチューブ１両端に設置した発光体１０が発した光線がライトガイドチューブ１上へ投射することで、ライトガイドチューブ１外部が光り、それによって、該ライトガイドチューブ１は警告作用もしくは装飾作用を形成する。
【先行技術文献】
【特許文献】
【０００３】
【特許文献１】特開２０１３−１９１６６７号公報
【考案の概要】
【考案が解決しようとする課題】
【０００４】
解決しようとする問題点は、公知のライトガイドチューブ１の光源はライトガイドチューブ１の両端に設置して、ライトガイドチューブ１の両端部位を明るくするため、中間部位は比較的暗いライトガイドの状況である。そのため、ライトガイドチューブ１全体に均一な光効果を達成することができず、警告効果が下がる点である。
【課題を解決するための手段】
【０００５】
本考案は、シリコンチューブ及び少なくとも１つのＬＥＤライト条、すなわち、２つの条体のＬＥＤライト列から構成される。該シリコンチューブは光均一性を備えるシリコン材質から製造され、該シリコンチューブの底面は平面に成形し、該シリコンチューブの最上面は円弧面を成形する。該シリコンチューブ内には納置槽を設置し、該シリコンチューブ内には別に少なくとも一通孔を設置する。
該２つのＬＥＤライト条上は複数個のＬＥＤライトを排列して設置し、該２つのＬＥＤライト条上には電源コードを設置する。該２つのＬＥＤライト条は相対して設置し、該シリコンチューブの納置槽内に挿入して定位する。このようにして該ライトガイドチューブを各種物品上に固定する。２つのＬＥＤライト条は、シリコンチューブ内に相対して設置する。各ＬＥＤライトの発光によってシリコンチューブを経て導光されることを最も主要な特徴とする。
【考案の効果】
【０００６】
本考案のライトガイドチューブ構造は、シリコンチューブの外部が極めて良好な光均一効果を備え、最良の発光警告機能もしくは装飾効果を達成するという利点がある。
【図面の簡単な説明】
【０００７】
【図１】公知のライトガイドチューブの指示図である。
【図２】本考案の実施例の立体分解図である。
【図３】本考案の実施例の立体組立図である。
【図４】本考案の実施例の組立断面指示図である。
【図５】本考案の実施例でリュックサック上に固定した使用指示図である。
【図６】本考案の実施例で、三角表示板上に固定した使用指示図である。
【考案を実施するための形態】
【０００８】
任意に折り曲げ、更に各種物品上に固定して使用するもので、発光警告機能もしくは発光装飾効果を備え、且つ光不均衡の問題を有効に改善し、最も良好な光均一効果を達成するライトガイドチューブ構造を提供することを本考案の主な目的とする。
【０００９】
本考案のライトガイドチューブ構造は、シリコンチューブ及び少なくとも１つのＬＥＤライト条、すなわち、実施例で図示するように、２つの条体のＬＥＤライト列から構成される。該シリコンチューブは、光均一性を備えたシリコン材質で製造する。
該シリコンチューブの底面は平面で、該シリコンチューブの最上面は円弧面を成形する。該シリコンチューブ内には納置槽を形成し、該シリコンチューブ内には他に少なくとも一通孔を設置し、該２つのＬＥＤライト条上は複数個のＬＥＤライトを排列設置し、該２つのＬＥＤライト条上には電源コードを設置する。該２つのＬＥＤライト条は相対設置し、該シリコンチューブの納置槽内に挿入して定位することで、ライトガイドチューブ構造が完成する。
【００１０】
本考案のライトガイドチューブ構造は、そのうち該シリコンチューブの最上面は少なくとも一凹槽を成形し、該凹槽はＬＥＤライトが投射する光線をより均一にする効果を達成する。
【００１１】
本考案のライトガイドチューブ構造は、そのうち該シリコンチューブの二側壁面上には数本の凸条を設置し、該凸条には固定したい物品上の嵌合槽内に嵌合して定位する。
【００１２】
本考案のライトガイドチューブ構造は、そのうち該シリコンチューブの納置槽内の該円弧面に対応する該側面上に複数条の条槽を設置し、該条槽はＬＥＤライトが投射した光線を屈折し、投射した光線を均一にする効果を達成する。
【００１３】
本考案のライトガイドチューブ構造は，その長所として、該ライトガイドチューブは任意に折り曲げて各種形状に成形し、各種異なる物品上に固定して使用でき、該物品に発光警告機能もしくは装飾効果を備えさせ，更に極めて良好な光均一効果を達成する。
【実施例】
【００１４】
本考案は上述の使用目的と機能を達成するため、採用した技術手段を実施可能な実施例を挙げ、図式と共に以下に述べる。 
【００１５】
本考案の実施例は、図２から図４に示すとおり、主にシリコンチューブ２及び２つのＬＥＤライト条３から構成される。該シリコンチューブ２は光均一性のシリコン材質から製造され、該シリコンチューブ２の底面は平面２０を設置し、該シリコンチューブ２の最上面は円弧面２１を設置する。該シリコンチューブ２の最上面には少なくとも一凹槽２２を設置する。該シリコンチューブ２内には納置槽２３を成形し、該納置槽２３内は該円弧面２１に対応する該側面上には複数条の弧形の条槽２３０を設置する。
【００１６】
前記シリコンチューブ２内には別に少なくとも一通孔２４を設置し、該シリコンチューブ２の二側壁面上には複数条の鋸歯形状の凸条２５を設置する。また、該２つのＬＥＤライト条３上には複数個のＬＥＤライト３０を排列し、該２つのＬＥＤライト条３は相対して設置しシリコンチューブ２の納置槽２３内に挿入する。
また、該２つのＬＥＤライト条３上には複数個のＬＥＤライト３０を排列設置し、該２つのＬＥＤライト条３上のＬＥＤライト３０は三個を一組とする。該２つのＬＥＤライト条３上には電源コード３１を設置し、該２つのＬＥＤライト条３は相対して設置し、該シリコンチューブ２の納置槽２３内に挿入して定位する。このようにしてライトガイドチューブ構造が形成される。
【００１７】
使用時、図５、６に示すとおり、本考案は、シリコンチューブ２の平面２０上に接着剤を塗布し、シリコンチューブ２の平面２０を固定設置したい物品上に貼り付ける。シリコンチューブ２を物品は、例として、リュックサック４もしくは三角表示板５もしくは広告看板、車両側辺、ドア把手…等物品で安定して固定する。２つのＬＥＤライト条３上の各ＬＥＤライト３０に通電して発光することで、各ＬＥＤライト３０が発した光線は、シリコンチューブ２から射出する。
【００１８】
２つのＬＥＤライト条３は、該シリコンチューブ２内で相対設置するため、光線はシリコンチューブ２から均一に導光され、２つのＬＥＤライト条３上のＬＥＤライト３０は三個一組であるため、もしもその内の一個のＬＥＤライト３０が壊れて光らない時、該組の三個のＬＥＤライト３０は同時に光らないが、本考案では２つのＬＥＤライト条３外部に嵌設したシリコンチューブ２の光均一効果によって、そのうちの一組のＬＥＤライト３０が光らない時でも、シリコンチューブ２全体の光均一効果に影響しない。
【００１９】
更に、シリコンチューブ２の最上面は円弧面２１で成形し、そこに凹槽２２を設置し、ＬＥＤライト３０の光線をシリコンチューブ２の表面に投射した時に最良の光均一効果を達成する。また該シリコンチューブ２の納置槽２３内は該円弧面２１に対応する該側面上に複数条の弧形の条槽２３０を設置し、該条槽２３０の設計によってＬＥＤライト３０から投射する光線を均一に屈折し、投射した光線を均一にする効果を達成する。また、シリコンチューブ２は軟性体であるため、任意に折曲して必要な各種異なる形状に成形し、且つシリコンチューブ２内の通孔２４の設計において、シリコンチューブ２が折曲によって異なる形状にした時、極めて良好な空間を備え、更に折曲しやすい。
【００２０】
更に、シリコンチューブ２二側壁面上に設置した数本の凸条２５によって、物品上の該ライトガイドチューブを固定したい嵌合槽内に嵌合する。凸条２５の設計によってライトガイドチューブを物品上に定位した時に安定させ、それによって、本考案のライトガイドチューブを各種物品上に固定し、物品に発光警告の機能を備える。
【００２１】
また、本考案の２つのＬＥＤライト条３上のＬＥＤライト３０の発光光線は異なる色を設置してもよく、発する光線に色の変化を与え、且つライトガイドチューブを各種形状に折り曲げて物品上に固定し、ＬＥＤライト３０発光時にはシリコンチューブ２上に現れた折曲した光形によって、物品に発光装飾の効果を与え、また本考案のライトガイドチューブは更に公知のライトガイドチューブと比較して極めて良好な光均一効果を達成する。
【００２２】
上述のとおり、本考案は予定の使用目的と機能を確実に達成し、且つ公知と比較して理想的、実用的である。しかし、上述実施例は本考案の良好な実施例を具体的に説明したに過ぎない。拠って、この実施例は本考案の請求範囲を制限するものではなく、その他本考案の技術手段から乖離しない同等の変化と修飾はすべて本考案の請求項に含まれるものとする。
【符号の説明】
【００２３】
１        ライトガイドチューブ
１０        発光体
２        シリコンチューブ
２０        平面
２１        円弧面
２２        凹槽
２３        納置槽
２３０        条槽
２４        通孔
２５        凸条
３        ＬＥＤライト条
３０        ＬＥＤライト
３１        電源コード
【図１】
0003190216.tif 000003
【図２】
0003190216.tif 000004
【図３】
0003190216.tif 000005
【図４】
0003190216.tif 000006
【図５】
0003190216.tif 000007
【図６】
0003190216.tif 000008
【手続補正書】
【提出日】平成26年2月14日(2014.2.14)
【手続補正１】
【補正対象書類名】実用新案登録請求の範囲
【補正対象項目名】全文
【補正方法】変更
【補正の内容】
【実用新案登録請求の範囲】
【請求項１】
主にシリコンチューブ及び少なくとも１つのＬＥＤライト条から構成されたライトガイドチューブ構造において、
該シリコンチューブは光均一性のシリコン材質から製造され、該シリコンチューブの底面は平面を成形し、該シリコンチューブの最上面は円弧面を成形し、該シリコンチューブ内には納置槽を設置し、該シリコンチューブ内には別に少なくとも一通孔を設置し、また該シリコンチューブ内には少なくとも１つのＬＥＤライト条は複数個のＬＥＤライト配列設置し、該シリコンチューブ内には少なくとも１つのＬＥＤライト条には電源コードを設置し、該シリコンチューブ内には少なくとも１つのＬＥＤライト条は相対して設置し該シリコンチューブの納置槽内に挿入して定位することを特徴とするライトガイドチューブ構造。
【請求項２】
前記シリコンチューブの最上面は少なくとも一凹槽を設置することを特徴とする請求項１記載のライトガイドチューブ構造。
【手続補正２】
【補正対象書類名】明細書
【補正対象項目名】０００５
【補正方法】変更
【補正の内容】
【０００５】
本考案は、シリコンチューブ及び少なくとも１つのＬＥＤライト条、すなわち、２つの条体のＬＥＤライト列から構成される。該シリコンチューブは光均一性を備えるシリコン材質から製造され、該シリコンチューブの底面は平面に成形し、該シリコンチューブの最上面は円弧面を成形する。該シリコンチューブ内には納置槽を設置し、該シリコンチューブ内には別に少なくとも一通孔を設置する。
該２つのＬＥＤライト条は複数個のＬＥＤライトを配列して設置し、該２つのＬＥＤライト条には電源コードを設置する。該２つのＬＥＤライト条は相対して設置し、該シリコンチューブの納置槽内に挿入して定位する。このようにして該ライトガイドチューブを各種物品上に固定する。２つのＬＥＤライト条は、シリコンチューブ内に相対して設置する。各ＬＥＤライトの発光によってシリコンチューブを経て導光されることを最も主要な特徴とする。
【手続補正３】
【補正対象書類名】明細書
【補正対象項目名】０００９
【補正方法】変更
【補正の内容】
【０００９】
本考案のライトガイドチューブ構造は、シリコンチューブ及び少なくとも１つのＬＥＤライト条、すなわち、実施例で図示するように、２つの条体のＬＥＤライト列から構成される。該シリコンチューブは、光均一性を備えたシリコン材質で製造する。
該シリコンチューブの底面は平面で、該シリコンチューブの最上面は円弧面を成形する。該シリコンチューブ内には納置槽を形成し、該シリコンチューブ内には他に少なくとも一通孔を設置し、該２つのＬＥＤライト条は複数個のＬＥＤライトを配列設置し、該２つのＬＥＤライト条には電源コードを設置する。該２つのＬＥＤライト条は相対設置し、該シリコンチューブの納置槽内に挿入して定位することで、ライトガイドチューブ構造が完成する。
【手続補正４】
【補正対象書類名】明細書
【補正対象項目名】００１６
【補正方法】変更
【補正の内容】
【００１６】
前記シリコンチューブ２内には別に少なくとも一通孔２４を設置し、該シリコンチューブ２の二側壁面上には複数条の鋸歯形状の凸条２５を設置する。また、該２つのＬＥＤライト条３には複数個のＬＥＤライト３０を配列し、該２つのＬＥＤライト条３は相対して設置しシリコンチューブ２の納置槽２３内に挿入する。
また、該２つのＬＥＤライト条３には複数個のＬＥＤライト３０を配列設置し、該２つのＬＥＤライト条３のＬＥＤライト３０は三個を一組とする。該２つのＬＥＤライト条３上には電源コード３１を設置し、該２つのＬＥＤライト条３は相対して設置し、該シリコンチューブ２の納置槽２３内に挿入して定位する。このようにしてライトガイドチューブ構造が形成される。
【手続補正５】
【補正対象書類名】明細書
【補正対象項目名】００１７
【補正方法】変更
【補正の内容】
【００１７】
使用時、図５、６に示すとおり、本考案は、シリコンチューブ２の平面２０上に接着剤を塗布し、シリコンチューブ２の平面２０を固定設置したい物品上に貼り付ける。シリコンチューブ２を物品は、例として、リュックサック４もしくは三角表示板５もしくは広告看板、車両側辺、ドア把手…等物品で安定して固定する。２つのＬＥＤライト条３の各ＬＥＤライト３０に通電して発光することで、各ＬＥＤライト３０が発した光線は、シリコンチューブ２から射出する。
【手続補正６】
【補正対象書類名】明細書
【補正対象項目名】００２１
【補正方法】変更
【補正の内容】
【００２１】
また、本考案の２つのＬＥＤライト条３のＬＥＤライト３０の発光光線は異なる色を設置してもよく、発する光線に色の変化を与え、且つライトガイドチューブを各種形状に折り曲げて物品上に固定し、ＬＥＤライト３０発光時にはシリコンチューブ２上に現れた折曲した光形によって、物品に発光装飾の効果を与え、また本考案のライトガイドチューブは更に公知のライトガイドチューブと比較して極めて良好な光均一効果を達成する。